【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
容量素子と、
該容量素子を充電および放電するように構成された調節器であって、該調整器は、第１の制御信号に応答して該容量素子を充電する第１の電流源と、第２の制御信号に応答して該容量素子を放電する第２の電流源とを備える、調節器と、
基準波形に応答して該第１の制御信号および該第２の制御信号を生成する制御回路であって、該制御回路は、別個の制御ループを用いて、該第1の制御信号および該第２の制御信号を独立して制御するように配列される、制御回路と
を備える、三角波形生成器。
【請求項２】
前記制御回路が、前記基準波形の周波数および位相に応答して前記第１の制御信号および前記第２の制御信号を生成する、請求項１に記載の三角波形生成器。
【請求項３】
前記制御回路が、
前記第１の制御信号を生成するように適合された第１のセットのチャージポンプと、
前記第２の制御信号を独立して生成するように適合された第２のセットのチャージポンプと
を備え、該第１のセットのチャージポンプと該第２のセットのチャージポンプとが、該第１の制御信号および該第２の制御信号を生成するように相互結合している、請求項２に記載の三角波形生成器。
【請求項４】
生成された三角波形に応答してウィンドウコンパレータ信号を生成するウィンドウ検出回路と、
該ウィンドウコンパレータ信号と前記基準波形とに応答して第１の出力信号を生成する第１の位相周波数検出器と、
該ウィンドウコンパレータ信号の反転バージョンと該基準波形の反転バージョンとに応答して第２の出力信号を生成する第２の位相周波数検出器と
を備える、請求項２に記載の三角波形生成器。
【請求項５】
前記制御回路が、
前記第１の出力信号および前記第２の出力信号の両方に応答して、前記第１の制御信号を生成するように適合された第１のセットのチャージポンプと、
該第１の出力信号および該第２の出力信号の両方に応答して、前記第２の制御信号を生成するように適合された第２のセットのチャージポンプと
をさらに備える、請求項４に記載の三角波形生成器。
【請求項６】
前記第１のセットのチャージポンプと前記第２のセットのチャージポンプとが、前記第１の制御信号および前記第２の制御信号を生成するように相互結合している、請求項５に記載の三角波形生成器。
【請求項７】
前記第１のセットのチャージポンプが、
前記第１の位相周波数検出器の出力信号と該第１の位相周波数検出器の出力信号の反転バージョンとに応答する主チャージポンプであって、前記第１の制御信号を生成するのに使用する交換電流Ｉｒを提供する、主チャージポンプと、
前記第２の位相周波数検出器の出力信号と該第２の位相周波数検出器の出力信号の反転バージョンとに応答する二次チャージポンプであって、該第１の制御信号を生成するのに使用する交換電流Ｋ×Ｉｒを提供する、二次チャージポンプと
を備える、請求項５に記載の三角波形生成器。
【請求項８】
前記第２のセットのチャージポンプが、
前記第２の位相周波数検出器の出力信号と該第２の位相周波数検出器の出力信号の反転バージョンとに応答するさらなる主チャージポンプであって、前記第２の制御信号を生成するのに使用する交換電流Ｉｒを提供する、さらなる主チャージポンプと、
前記第１の位相周波数検出器の出力信号と該第１の位相周波数検出器の出力信号の反転バージョンとに応答するさらなる二次チャージポンプであって、該第２の制御信号を生成するのに使用する交換電流Ｋ×Ｉｒを提供する、さらなる二次チャージポンプと
を備える、請求項７に記載の三角波形生成器。
【請求項９】
前記ウィンドウ検出回路が、
前記生成された三角波形を上限電圧と比較して対応の出力信号を生成するように配置された第１のコンパレータと、
該生成された三角波形を下限電圧と比較して対応の出力信号を生成するように配置された第２のコンパレータと、
該第１のコンパレータの出力信号および該第２のコンパレータの出力信号に応答して前記ウィドウコンパレータ信号を生成するフリップフロップと
を備える、請求項４に記載の三角波形生成器。
【請求項１０】
前記フリップフロップがさらに、前記第１のコンパレータの出力信号および前記第２のコンパレータの出力信号に応答して前記ウィドウコンパレータ信号の反転バージョンを生成する、請求項９に記載の三角波形生成器。
【請求項１１】
前記第１の電流源と前記第２の電流源とは、別個に、かつ独立して調整されることによって、三角波形の精密な制御を可能にする、請求項１に記載の三角波形生成器。
【請求項１２】
前記第１の電流源と前記第２の電流源とは、２つの別個の制御ループを用いて、別個に、かつ独立して調整される、請求項１に記載の三角波形生成器。
【請求項１３】
第１のスイッチおよび第２のスイッチをさらに備え、前記第１の電流源と前記第２の電流源とは、それぞれ該第１のスイッチおよび該第２のスイッチを用いて選択的に切り換えられる、請求項１に記載の三角波形生成器。
【請求項１４】
電荷を格納する手段と、
該格納する手段を充電および放電する調節器手段であって、該調整器手段は、第１の制御信号に応答して該格納する手段を充電するために電流を供給するための第１の手段と、第２の制御信号に応答して該格納する手段を放電するために電流を供給するための第２の手段とを備える、調節器手段と、
基準波形に応答して該第１の制御信号および該第２の制御信号を生成する制御手段であって、該制御手段は、別個の制御ループを用いて、電流を供給するための該第１および第２の手段を独立して制御するように配列される、制御手段と
を備える、三角波形生成器。
【請求項１５】
前記制御手段が、前記基準波形の周波数および位相に応答して前記第１の制御信号および前記第２の制御信号を生成する、請求項１４に記載の三角波形生成器。
【請求項１６】
前記制御手段が、
前記第１の制御信号を生成するように適合された第１のチャージポンプ手段と、
前記第２の制御信号を独立して生成するように適合された第２のチャージポンプ手段と
を備え、該第１のチャージポンプ手段と該第２のチャージポンプ手段とが、該第１の制御信号および該第２の制御信号を生成するように相互結合している、請求項１５に記載の三角波形生成器。
【請求項１７】
生成された三角波形に応答してウィンドウコンパレータ信号を生成するウィンドウ検出手段と、
該ウィンドウコンパレータ信号と前記基準波形とに応答して第１の出力信号を生成する第１の位相周波数検出器手段と、
該ウィンドウコンパレータ信号の反転バージョンと該基準波形の反転バージョンとに応答して第２の出力信号を生成する第２の位相周波数検出器手段と
を備える、請求項１５に記載の三角波形生成器。
【請求項１８】
前記制御手段が、
前記第１の出力信号および前記第２の出力信号の両方に応答して、前記第１の制御信号を生成する第１のチャージポンプ手段と、
該第１の出力信号および該第２の出力信号の両方に応答して、前記第２の制御信号を生成する第２のチャージポンプ手段と
をさらに備える、請求項１６に記載の三角波形生成器。
【請求項１９】
前記第１のチャージポンプ手段と前記第２のチャージポンプ手段とが、前記第１の制御信号および前記第２の制御信号を生成するように相互結合している、請求項１８に記載の三角波形生成器。
【請求項２０】
前記第１のチャージポンプ手段が、
前記第１の位相周波数検出器手段の出力信号と該第１の位相周波数検出器手段の出力信号の反転バージョンとに応答して、前記第１の制御信号を生成するのに使用する交換電流Ｉｒを提供する主チャージポンプ手段と、
前記第２の位相周波数検出器手段の出力信号と該第２の位相周波数検出器手段の出力信号の反転バージョンとに応答して、前記第１の制御信号を生成するのに使用する交換電流Ｋ×Ｉｒを提供する二次チャージポンプ手段と
を備える、請求項１８に記載の三角波形生成器。
【請求項２１】
前記第２のチャージポンプ手段が、
前記第２の位相周波数検出器手段の出力信号と該第２の位相周波数検出器手段の出力信号の反転バージョンとに応答して、前記第２の制御信号を生成するのに使用する交換電流Ｉｒを提供するさらなる主チャージポンプ手段と、
前記第１の位相周波数検出器手段の出力信号と該第１の位相周波数検出器手段の出力信号の反転バージョンとに応答して、該第２の制御信号を生成するのに使用する交換電流Ｋ×Ｉｒを提供するさらなる二次チャージポンプ手段と
を備える、請求項２０に記載の三角波形生成器。
【請求項２２】
前記ウィンドウ検出手段が、
前記生成された三角波形と上限電圧との比較に応答して出力信号を生成する第１のコンパレータ手段と、
該生成された三角波形と下限電圧との比較に応答して出力信号を生成する第２のコンパレータ手段と、
該第１のコンパレータ手段の出力信号および該第２のコンパレータ手段の出力信号に応答して前記ウィドウコンパレータ信号を生成するフリップフロップと
を備える、請求項１９に記載の三角波形生成器。
【請求項２３】
第１のスイッチング手段および第２のスイッチング手段をさらに備え、該第１のスイッチング手段および該第２のスイッチング手段は、電流を供給するための前記第１の手段と、電流を供給するための前記第２の手段とを、それぞれ選択的に切り換えるように動作可能である、請求項１４に記載の三角波形生成器。
【請求項２４】
三角波形を生成する方法であって、
第１の制御信号に応答して、該三角波形の第１のランプを生成するように容量素子を充電することであって、該第１の制御信号は、該容量素子を充電するために第１の電流源を制御する、ことと、
第２の制御信号に応答して、該三角波形の相補的な第２のランプを生成するように該容量素子を放電することであって、該第２の制御信号は、該容量素子を放電するために第２の電流源を制御する、ことと、
別個の制御ループを用いて、該第１の制御信号と該第２の制御信号とを独立して生成するように基準信号の位相および周波数を追跡することと
を包含する、方法。
【手続補正２】
【補正対象書類名】明細書
【補正対象項目名】０００４
【補正方法】変更
【補正の内容】
【０００４】
三角波形生成器は、パルス幅変調された波形を生成するための音響信号を変調するために使用される。そのような三角波形生成器は、周波数が所定の制御電圧に応答する電圧制御発振器を用い得る。そのような三角波形生成器によって生成された三角波形は、基準周波数に対して位相がロックされ得る。その三角波形は、制御電圧によって変調され得、その振幅をパルス幅にマッピングする。現在のところ、三角波形生成器は、振幅、周波数、対称性、および／または位相のうちの一つ以上を同時に制御することはできない。
【手続補正３】
【補正対象書類名】明細書
【補正対象項目名】００６３
【補正方法】変更
【補正の内容】
【００６３】
正の電位Ｖｔｐ３１８および負の電位Ｖｔｎ３２０は、図１に示されるＰＷＭ増幅器１００の出力レールを示し得る。正の電位Ｖｔｐ３１８および負の電位Ｖｔｎ３２０は、２．５ボルトＤＣのＣＭＯＳ電圧、または接地電位の別個の電圧、あるいはゼロボルトなどの、所定の電圧に中心を置かれ得る。電圧（Ｖｔ）３１６は、第１および第２のコンパレータ３２２および３２４によって比較される前に、バッファ３２８によってバッファされ得る。第１のコンパレータ３２２および第２のコンパレータ３２４はウィンドウ検出器を形成し得る。コンパレータ出力は、Ｒ−Ｓフリップフロップなどの、ヒステリシススイッチ３２９をトグルするために使用され得る。ヒステリシススイッチ３２９は、コンデンサＣｔ３０２上の電荷を操作する充電電流および放電電流の制御をイネーブルし得る。
【手続補正４】
【補正対象書類名】明細書
【補正対象項目名】００６８
【補正方法】変更
【補正の内容】
【００６８】
チャージポンプの第１のグループ３５２は、第１主チャージポンプ３６２および第１の相互結合されたチャージポンプ３６４を含む。同様に、チャージポンプの第２のセット３５６は、第２の主チャージポンプ３６６および第２の相互結合されたチャージポンプ３６８を含む。他の例において、チャージポンプのセットの数および／または使用されるチャージポンプの数は、増やされてもよく、減らされてもよい。動作の間、第１の位相周波数検出器３４０および第２の位相周波数検出器３４２の両方は、ゼロ度エラーに集中し得る。ゼロ度エラー状況の下では、第１の位相周波数検出器３４０および第２の位相周波数検出器３４２の「アップ」出力および「ダウン」出力がオンになり、それによって、等しく、および正反対に、チャージポンプ３６２、３６４、３５６、および３５８をオンにし、その結果、ゼロとなる。充電電流制御ライン３５４および放電電流制御ライン３５８上の出力は、それぞれ、充電調整器３０４および放電調整器３０６に提供される。
【手続補正５】
【補正対象書類名】明細書
【補正対象項目名】００７１
【補正方法】変更
【補正の内容】
【００７１】
実際の制御をインプリメントおよび維持するために、処理および調整される主要信号と比較して遅い制御信号のフィルタリングが用いられ得る。１００ピコファラドコンデンサよりも大きいような、大きなコンデンサが、制御回路においてフィルタリングするために、三角波生成システム３００において含まれ得る。大きなコンデンサを集積回路へと集積することは困難であり得、追加のパッケージ端子が、集積回路を外部コンデンサへと接続するために含まれ得る。あるいは、図３に示されるように、集積回路におけるチャージポンプ回路は、大きなコンデンサの代わりに、より遅い制御信号をフィルタリングするために使用され得る。そのようなチャージポンプ回路は、位相ロックまたは遅延ロックされたループ上において、デジタル位相周波数検出器を用いて使用されるチャージポンプと同様に動作し得る。ロックポイントはゼロ位相においてであり得、ゼロ位相では、制御信号は非常に狭く、インパルス状（ｉｍｐｕｌｓｉｖｅ）になる。ゼロ度において、チャージアップおよびダウンパルスは、非常に狭く、時間的に同時であり得、互いの電荷出力をキャンセルする。ロック状態において、僅かなリップルまたはリップル無しで、低リーク回路において、僅かなコンデンサのみを用いて、そのような信号をフィルタリングすることは比較的容易であり得る。リップルは、ロックされていない場合、大きくあり得るが、それは動作モードではない。